(57)【要約】【課題】  胴筒部の径の異なる各種ブーツに共通に使用可能であり、且つ、何れのブーツに対しても、胴筒部の内周面を加圧して皺を伸ばした状態で保管可能であるブーツ保型具を得る。【解決手段】  長手方向に対向配置された一対の棒状部材２と、棒状部材２の互いの一端部を連結する断面略Ｕ字形状の弾性部材４と、棒状部材２のそれぞれの他端部から所定の長さ延在した持ち手部３とを具備したブーツ保型具１であって、弾性部材４が自然形状の際には、弾性部材４を介し、一対の棒状部材２は略Ｖ字形状となり、それぞれの持ち手部３をともに握りしめることにより、弾性部材４が弾性変形した際には、一対の棒状部材２は近接し、略Ｉ字形状となり、当該略Ｉ字形状の状態にて、ブーツに挿入した後、持ち手部３を開放することにより、一対の棒状部材２がブーツの内周面を互いに逆方向に押圧することを特徴とする。【選択図】  図１
2008200413.tif 000002
【特許請求の範囲】
【請求項１】
長手方向に対向配置された一対の棒状部材と、
一対の前記棒状部材の互いの一端部を連結する断面略Ｕ字形状の弾性部材と、
一対の前記棒状部材のそれぞれの他端部から所定の長さ延在した持ち手部と
を具備したブーツ保型具であって、
前記弾性部材が自然形状の際には、前記弾性部材を介し、一対の前記棒状部材は略Ｖ字形状となり、
それぞれの前記持ち手部をともに握りしめることにより、前記弾性部材が弾性変形した際には、一対の前記棒状部材は近接し、略Ｉ字形状となり、
当該略Ｉ字形状の状態にて、ブーツに挿入した後、握りしめた前記持ち手部を開放することにより、一対の前記棒状部材が前記ブーツの内周面を互いに逆方向に押圧する
ことを特徴とするブーツ保型具。
【請求項２】
前記棒状部材は、内部に乾燥剤或いは消臭剤を収納可能な中空部を有し、且つ、前記棒状部材の外周面には複数の孔若しくは切り欠きが形成された
ことを特徴とする請求項１に記載のブーツ保型具。
【請求項３】
一対の前記棒状部材が互いに対向する面には側壁が形成され、
前記中空部は、前記棒状部材の外周面と前記側壁により囲まれている
ことを特徴とする請求項２に記載のブーツ保型具。
【請求項４】
一対の前記持ち手部をともに近接させた状態で保持するための保持手段を備えた
ことを特徴とする請求項１乃至請求項３の何れかに記載のブーツ保型具。
【請求項５】
一対の前記持ち手部において、一方には突起部が形成され、他方には前記突起部が嵌合される溝部が形成されている
ことを特徴とする請求項１乃至請求項４の何れかに記載のブーツ保型具。
【請求項６】
ブーツ保型具を一対のブーツのそれぞれに挿入した状態において、
それぞれの前記持ち手部を連結させる連結手段を備え、
前記連結手段により、前記持ち手部を介して、一対のブーツを連結させることにより、
一対のブーツの倒れ抑制を行う
ことを特徴とする請求項１乃至請求項５の何れかに記載のブーツ保型具。
【発明の詳細な説明】
【技術分野】
【０００１】
本発明は、ブーツの形状を保持するためのブーツ保型具に関する。
【背景技術】
【０００２】
従来のブーツ保型具の一例としては、ブーツの胴筒部に挿入することにより、ブーツの折れを防止すべく、内部に例えば中綿などを封入した円筒状の布袋が知られている（例えば、特許文献１）。
【０００３】
【特許文献１】特開２００５−６９１５号公報
【０００４】
上述した従来のブーツ保型具においては、胴筒部の径の異なる各種ブーツに共通に使用するためには、想定される最小径のブーツにも挿入可能なブーツ保型具としなければならず、従って、径の大きなブーツに使用（挿入）した場合には、ブーツ胴筒部の内周面とブーツ保型具の外周面との間に隙間が出来、その結果、十分にブーツの形状を保持することが出来ないという問題があった。
【０００５】
また、ブーツ保型具により胴筒部の内周面を加圧することが出来ないため、ブーツの皺を伸ばした状態で保管することが出来ないという問題があった。
【発明の開示】
【発明が解決しようとする課題】
【０００６】
本発明は、上述のような問題を解決するためになされたものであり、胴筒部の径の異なる各種ブーツに共通に使用可能であり、且つ、何れのブーツに対しても、胴筒部の内周面を加圧して皺を伸ばした状態で保管可能であるブーツ保型具の提供を課題とする。
【０００７】
併せて、使用者にとって、使い勝手（操作性）の良いブーツ保型具の提供を課題とする。
【課題を解決するための手段】
【０００８】
請求項１に記載の発明に係るブーツ保型具は、長手方向に対向配置された一対の棒状部材と、一対の前記棒状部材の互いの一端部を連結する断面略Ｕ字形状の弾性部材と、一対の前記棒状部材のそれぞれの他端部から所定の長さ延在した持ち手部とを具備したブーツ保型具であって、前記弾性部材が自然形状の際には、前記弾性部材を介し、一対の前記棒状部材は略Ｖ字形状となり、それぞれの前記持ち手部をともに握りしめることにより、前記弾性部材が弾性変形した際には、一対の前記棒状部材は近接し、略Ｉ字形状となり、当該略Ｉ字形状の状態にて、ブーツに挿入した後、握りしめた前記持ち手部を開放することにより、一対の前記棒状部材が前記ブーツの内周面を互いに逆方向に押圧することを特徴とする。
【０００９】
請求項２に記載の発明に係るブーツ保型具は、請求項１に記載の発明に係るブーツ保型具において、前記棒状部材は、内部に乾燥剤或いは消臭剤を収納可能な中空部を有し、且つ、前記棒状部材の外周面には複数の孔若しくは切り欠きが形成されたことを特徴とする。
【００１０】
請求項３に記載の発明に係るブーツ保型具は、請求項２に記載の発明に係るブーツ保型具において、一対の前記棒状部材が互いに対向する面には側壁が形成され、前記中空部は、前記棒状部材の外周面と前記側壁により囲まれていることを特徴とする。
【００１１】
請求項４に記載の発明に係るブーツ保型具は、請求項１乃至請求項３の何れかに記載の発明に係るブーツ保型具において、一対の前記持ち手部をともに近接させた状態で保持するための保持手段を備えたことを特徴とする。
【００１２】
請求項５に記載の発明に係るブーツ保型具は、請求項１乃至請求項４の何れかに記載の発明に係るブーツ保型具において、一対の前記持ち手部において、一方には突起部が形成され、他方には前記突起部が嵌合される溝部が形成されていることを特徴とする。
【００１３】
請求項６に記載の発明に係るブーツ保型具は、請求項１乃至請求項５の何れかに記載の発明に係るブーツ保型具において、ブーツ保型具を一対のブーツのそれぞれに挿入した状態において、それぞれの前記持ち手部を連結させる連結手段を備え、前記連結手段により、前記持ち手部を介して、一対のブーツを連結させることにより、一対のブーツの倒れ抑制を行うことを特徴とする。
【発明の効果】
【００１４】
請求項１の発明によれば、胴筒部の径の異なる各種ブーツに共通に使用可能であり、且つ、何れのブーツに対しても、胴筒部の内周面を加圧して皺を伸ばした状態で保管可能であるブーツ保型具を得る。併せて、一対の持ち手部を握りしめるに当たり、てこの原理により、過度な握力を必要とせず、弾性部材を変形せしめることが可能であるため、使用者にとって、使い勝手（操作性）の良いブーツ保型具を得る。
【００１５】
請求項２の発明によれば、棒状部材の内部に乾燥剤或いは消臭剤を収納可能であり、且つ、棒状部材の外周面には、複数の孔若しくは切り欠きが形成されているため、ブーツの保管時、ブーツ内部の乾燥或いは消臭をも行うことが出来る。
【００１６】
請求項３の発明によれば、棒状部材の内部（中空部）において、乾燥剤或いは消臭剤をその外周を囲った状態で安定して収納出来るため、例えば、乾燥剤或いは消臭剤が、ブーツ底方向に偏ってしまうことを抑止出来る。
【００１７】
請求項４の発明によれば、未使用時には、一対の棒状部材を略Ｉ字形状の状態に保持することが出来るため、かさばらずに収納可能となる。
【００１８】
請求項５の発明によれば、一対の持ち手部を近接させた際、互いに位置決めされるため、一対の棒状部材も位置ずれすることなく、その結果、スムーズにブーツに挿入可能となる。
【００１９】
請求項６の発明によれば、一対のブーツにそれぞれ挿入したブーツ保型具の持ち手部を連結することが出来るため、一対のブーツを連結保持することが可能となり、その結果、ブーツ保管時、ブーツの倒れを抑止することが出来る。
【発明を実施するための最良の形態】
【００２０】
実施の形態１．
以下、本実施の形態１におけるブーツ保型具について、図面に基づいて説明する。
【００２１】
図１は、本発明を実施するための実施の形態１におけるブーツ保型具の要部構成を示す正面図であり、断面図示している。また、図１は閉状態におけるブーツ保型具である。
【００２２】
図２は、図１における矢印Ｓ方向から見た側面図である。
【００２３】
図３は、開状態におけるブーツ保型具の正面図である。
【００２４】
図４は、図１における矢印Ｔ方向から見た上面図である。
【００２５】
図５は、図１におけるＩ−Ｉ断面図である。
【００２６】
図６は、図１におけるII−II断面図である。
【００２７】
図７は、棒状部材に対する側壁の嵌合工程を示す斜視図である。
【００２８】
図８は、本発明を実施するための実施の形態１におけるブーツ保型具の使用状態図である。
【００２９】
図１〜図８において、１はブーツ保型具である。ブーツ保型具１は、内部に中空部２ａが形成され、互いに対向配置された一対の棒状部材２、棒状部材２の長手方向一端部から所定の長さ延在した持ち手部３、棒状部材２の長手方向他端部において、一対の棒状部材２を連結せしめた弾性部材４から主に構成されている。
【００３０】
以下、上述した主な構成要素並びにその他の構成要素について、詳細に説明する。
【００３１】
棒状部材２は、断面が略半円形状であり、且つ、中空に形成されており、互いに対向する一対の棒状部材２、２が近接した状態において、一対の棒状部材２、２を合わせた断面が略円形状或いは略長円形状（図４参照）となっている。また、図１に示す通り、棒状部材２はやや先細り形状となっており、径の小さい側の長手方向端部には、弾性部材４が連結されている。
【００３２】
本実施形態１では、棒状部材２は、樹脂成形品であり、弾性部材４は断面略Ｕ字形状の短冊状の板金である。もっとも、棒状部材２及び弾性部材４の材質や形状はこれに限られるものではない。例えば、棒状部材２は切削品でも良く、その形状は、断面矩形状でもよく、更には、長手方向において、径が同じであっても良い。また、弾性部材４は、弾性を有する樹脂材やゴム材でも良く、その形状は、棒状でも良い。
【００３３】
なお、本実施形態１では、棒状部材２と弾性部材４は、図１に示す通り、爪嵌合により接続されているが、これに限らず、かしめ結合、ねじ締結、溶着、接着などでも良い。
【００３４】
持ち手部３は、棒状部材２に一体に成形されており、内部が中空となっている。なお、持ち手部３は、使用者が手に取るに適した長さだけ延在している。また、持ち手部３が棒状部材２と別体であり、棒状部材２に対し連結固定された構成も成り立つことは言うまでもない。
【００３５】
ところで、弾性部材４が自然形状の際には、図３に示す通り、一対の棒状部材２、２は、弾性部材４を介して略Ｖ字形状となる。すなわち、使用者が一対の持ち手部３をともに握りしめることにより、棒状部材２、２は互いに近接し、図３に示す状態（開状態という）から図１に示す状態（閉状態という）に移行する。この際、弾性部材４の弾性により、一対の棒状部材２には互いに離れる方向の力が付与されている。
【００３６】
本実施形態１では、持ち手部３の上端部からリング５が挿入された紐６が接続固定されており、図１に示す閉状態において、リング５を一対の持ち手部３、３に挿入することにより、当該閉状態を保つことが出来るように工夫されている。すなわち、ブーツ保型具１の未使用時には、リング５により閉状態を保った状態にて、かさばることなく収納可能としている。
【００３７】
８は中空部２ａに収納される乾燥剤或いは消臭剤（以下、乾燥剤等８と称す）である。本実施形態１では、図７に示す通り、棒状部材２に対し、側壁９が矢印Ｂ方向に嵌合され、中空部２ａを棒状部材２の外周面と側壁９と底部２ｂでポケット状にしている。従って、乾燥剤等８をポケット状の中空部２ａに安定した状態で収納することが出来る。その結果、例えば、乾燥剤等８が座屈して棒状部材２の底部２ｂ側に偏ったりすることを抑止出来る。
【００３８】
ここで、側壁９の形状及び構造について説明する。
【００３９】
本実施形態１における側壁９は樹脂成形品であり、棒状部材２の所望の位置に設けられた上下２箇所、計４個の孔に対し、対応するそれぞれの爪が嵌合（スナップフィット）して固定されるものである（図６参照）。もっとも、側壁９は、このような構成に限られるものではなく、中空部２ａに側壁を設ける限りにおいて、適宜設計変更可能である。
【００４０】
棒状部材２には、その外周面に複数の孔２ｃが形成されており、したがって、ブーツ保型具１をブーツ１０（図８参照）に挿入した状態においては、中空部２ａに収納された乾燥剤等８は孔２ｃを介して、ブーツ１０内部を乾燥する機能や消臭する機能を発揮する。なお、本実施形態１では、棒状部材２の底部２ｂにもスリット２ｄが形成されており（図６参照）、ブーツ１０のつま先方向に対しても、乾燥剤等８の乾燥機能や消臭機能を発揮させることが出来るように工夫されている。なお、このような孔２ｃやスリット２ｄの形状、位置などは適宜設計変更可能であることは言うまでもない。
【００４１】
２ｅは、一方の持ち手部３の根本付近のみに形成された突起部である。上述した通り、持ち手部３は内部が中空となっているが、閉状態において、突起部２ｅは、他方の持ち手部３の当該中空からなる溝部２ｆに嵌合される（図５参照）。すなわち、使用者が一対の持ち手部３、３をともに握りしめた状態（すなわち、閉状態）においては、一対の棒状部材２、２は突起部２ｅと溝部２ｆの嵌合により、互いに図５に示す矢印Ａ方向の位置ずれが抑制されるため、ブーツ１０にブーツ保型具１をスムーズに挿入することが出来る。
【００４２】
なお、突起部２ｅと溝部２ｆからなる連結手段の位置は、持ち手部３の根本付近に限られるものではない。持ち手部３の他の部分に設けても成り立つことは言うまでもない。
【００４３】
以下、本実施形態１におけるブーツ保型具１の使用方法について説明する。
【００４４】
未使用時のブーツ保型具１は、上述した通り、図１に示す閉状態にて、且つ、リング５により、開状態に戻ることを防止した状態にて、かさばることなく収納されている。
【００４５】
このように収納されていたブーツ保型具１を使用する際には、まず、リング５を持ち手部３から取り外す。この状態では、弾性部材４の弾性力により、図３に示す開状態に移行しているため、使用者は、一対の持ち手部３をともに握りしめることにより、弾性部材４の弾性力に逆らいながら、ブーツ保型具１を閉状態とする。
【００４６】
本実施形態１におけるブーツ保型具１は、棒状部材２の長手方向一端に持ち手部３、他端に弾性部材４が備えられているため、てこの原理により、使用者は、過度な握力を必要とせず、弾性部材４を変形せしめることが可能となる。その結果、使用者にとって、使い勝手（操作性）の良いブーツ保型具１を得ることが出来る。
【００４７】
次に、閉状態としたまま、ブーツ１０の奥までブーツ保型具１を挿入し、その後、ともに握りしめた一対の持ち手部３、３を開放する。
【００４８】
ところで、ブーツ１０の奥までブーツ保型具１を挿入し、その後、ともに握りしめた一対の持ち手部３、３を開放すると、弾性部材４の弾性により、一対の棒状部材２、２には、互いに離れる方向に力が働く。従って、棒状部材２の外周面により、ブーツ胴筒部の内周面を加圧することが出来るため、ブーツ１０の皺を伸ばした状態で保管することが出来る。
【００４９】
また、ブーツ胴筒部の内径に応じて、棒状部材２の外周面がブーツ胴筒部の内周面に圧接するようになるため、本実施形態１のブーツ保型具１は、ブーツ胴筒部の径の異なる各種ブーツに共通に使用可能となる。
【００５０】
以上のようにして、一対のブーツ１０それぞれにブーツ保型具１を挿入する。
【００５１】
本実施形態１では、紐６は、その先端に棒状の係合部材７が備えられている。すなわち、図８に示す通り、それぞれにブーツ保型具１が挿入された一対のブーツ１０において、一方のブーツ保型具１の係合部材７を、他方のブーツ保型具１の紐６に係合させることにより、一対のブーツ１０を連結させることが出来る。このような連結手段（係合部材７及び紐６）により、ブーツ１０の姿勢が安定し、ブーツ保管時、ブーツ１０の倒れを抑止することが出来る。
【００５２】
なお、連結手段として、係合部材７をリング５に係合させても良い。また、連結手段の構成は、適宜設計変更可能である。
【００５３】
本実施形態１では、持ち手部３の上端部に形成された孔に、紐６を挿通させ、持ち手部３の内側にて、紐６を結び、当該孔から抜けることを防止している。すなわち、外部に露出する紐６の長さは、持ち手部３の内側での紐６の結び位置によって、自在に調整出来る。
従って、一対のブーツの胴筒部の径に応じて（一対のブーツ間の距離に応じて）、紐６の結び位置を調整することにより、弛みのない状態で、一対のブーツを連結させることが出来る。
【００５４】
従って、より一層、ブーツ１０の姿勢を安定させることが出来る。
【図面の簡単な説明】
【００５５】
【図１】本発明を実施するための実施の形態１におけるブーツ保型具の要部構成を示す正面図である。
【図２】図１における矢印Ｓ方向から見た側面図である。
【図３】開状態におけるブーツ保型具の正面図である。
【図４】図１における矢印Ｔ方向から見た上面図である。
【図５】図１におけるＩ−Ｉ断面図である。
【図６】図１におけるII−II断面図である。
【図７】棒状部材に対する側壁の嵌合工程を示す斜視図である。
【図８】本発明を実施するための実施の形態１におけるブーツ保型具の使用状態図である。
【符号の説明】
【００５６】
１  ブーツ保型具
２  棒状部材
２ａ  中空部
２ｃ  孔
２ｅ  突起部
２ｆ  溝部
３  持ち手部
４  弾性部材
５  リング（保持手段）
８  乾燥剤等（乾燥剤或いは消臭剤）
９  側壁
【図１】
2008200413.tif 000003
【図２】
2008200413.tif 000004
【図３】
2008200413.tif 000005
【図４】
2008200413.tif 000006
【図５】
2008200413.tif 000007
【図６】
2008200413.tif 000008
【図７】
2008200413.tif 000009
【図８】
2008200413.tif 000010